(57)【特許請求の範囲】
【請求項１】
歯（Ｚ）の側方のう食（蝕）における材料の除去に用いる歯科用器具（１）であって、
一方の端は歯科用ハンドピース（４）に接続されるか、または接続可能となっており、他方の端は、作業用本体（１４）に接続されるか、または接続可能となっているツールシャフト（２）と、
前記歯のう食部分の処置を行う作業用部分（５）を有する前記作業用本体（１４）と
を有し、
前記作業用本体（１４）の長手方向中央軸（１１ｂ）は、前記ツールシャフト（２）の長手方向中央軸（１１ａ）とほぼ同一軸上にあるか、または前記ツールシャフト（２）の前記長手方向中央軸（１１ａ）に対してほぼ平行に延び、
前記作業用本体（１４）の前記長手方向中央軸（１１ｂ）が含まれる長手方向中央面（７）の両側に、前記歯のう食部分の処置を行う作業用部分（５）である側方作業用表面（６）を有し、当該側方作業用表面（６）は前記長手方向中央面（７）と鋭角な角度（Ｗ１）をなし、
前記側方作業用表面（６）は、前記長手方向中央軸（１１ｂ）に沿って、前記ツールシャフト（２）に向かう方向において前記長手方向中央軸（１１ｂ）からの距離が大きくなる形状を有する前記歯科用器具（１）において、
前記側方作業用表面（６）は、前記歯のう食部分の処置を行う作業用部分（５）の少なくとも前記ツールシャフト（２）に隣接した長軸方向領域（Ｌ３）においてまたは前記側方作業用表面（６）の全長にわたって、前記側方作業用表面（６）と前記長手方向中央軸（１１ｂ）とがなす角度（Ｗ４）を前記ツールシャフト（２）に近い位置ほど大きくすることによって、前記長手方向中央軸（１１ｂ）からの距離が大きくなる形状（１８）を有することを特徴とする
歯科用器具。
【請求項２】
前記側方作業用表面（６）と前記長手方向中央面（７）とがなす鋭角な前記角度（Ｗ１）の大きさは、前記歯のう食部分の処置を行う作業用部分（５）の少なくとも、前記ツールシャフト（２）に隣接した長軸方向領域（Ｌ３）において、または前記側方作業用表面（６）の全長にわたって均一であることを特徴とする
請求項１記載の歯科用器具。
【請求項３】
前記側方作業用表面（６）と前記長手方向中央面（７）とがなす鋭角な前記角度（Ｗ１）の大きさは、前記歯のう食部分の処置を行う作業用部分（５）の少なくとも、前記ツールシャフト（２）に隣接した長軸方向領域（Ｌ３）において、または前記側方作業用表面（６）の全長にわたって、前記ツールシャフト（２）に向かう方向において増加または減少することを特徴とする
請求項１記載の歯科用器具。
【請求項４】
前記側方作業用表面（６）と前記長手方向中央面（７）とがなす鋭角な前記角度（Ｗ１）の大きさは、連続的に変化することを特徴とする
請求項３に記載の歯科用器具。
【請求項５】
前記側方作業用表面（６）の前記長手方向中央軸（１１ｂ）からの距離が大きくなる形状（１８）は、前記ツールシャフト（２）に向かう方向において、前記側方作業用表面（６）と前記長手方向中央軸（１１ｂ）とがなす前記角度（Ｗ４）が連続的に増大することによって形成されることを特徴とする
請求項１〜４のいずれかに記載の歯科用器具。
【請求項６】
前記側方作業用表面（６）と前記長手方向中央面（７）とがなす鋭角な前記角度（Ｗ１）の大きさは、約３０〜６０°または約３０〜４５°または約４５〜６０°であることを特徴とする
請求項１〜５のいずれかに記載の歯科用器具。
【請求項７】
前記側方作業用表面（６）と前記長手方向中央面（７）とがなす鋭角な前記角度（Ｗ１）の大きさは、前記歯のう食部分の処置を行う作業用部分（５）の、前記ツールシャフト（２）に隣接した長軸方向領域（Ｌ３）において約４５°であり、当該長軸方向領域（Ｌ３）の前記ツールシャフト（２）側に対して反対側に隣接した長軸方向領域（Ｌ２）においては約６０°であることを特徴とする
請求項１〜６のいずれかに記載の歯科用器具。
【請求項８】
前記側方作業用表面（６）と前記長手方向中央面（７）とがなす鋭角な前記角度（Ｗ１）は、前記歯のう食部分の処置を行う作業用部分（５）の、前記ツールシャフト（２）に隣接した長軸方向領域（Ｌ３）において約４５°であり、当該長軸方向領域（Ｌ３）の前記ツールシャフト（２）側に対して反対側に隣接した長軸方向領域（Ｌ２）では約３０°である
請求項１〜６のいずれかに記載の歯科用器具。
【請求項９】
前記歯のう食部分の処置を行う作業用部分（５）の前記ツールシャフト（２）と反対側の長軸方向領域（Ｌ１）には溝形成用の作業用表面（８）が、前記長手方向中央軸（１１ｂ）と交差する方向に沿って、さらに、前記側方作業用表面（６）と連続的に、丸みを帯びて形成されていることを特徴とする
請求項１〜８のいずれかに記載の歯科用器具。
【請求項１０】
前記溝形成用の作業用表面（８）は、前記長手方向中央軸（１１ｂ）と約３０〜６０°の鋭角（Ｗ２）をなし、前記ツールシャフト（２）に向かう方向において前記長手方向中央軸（１１ｂ）に対して拡がるような形状となっていることを特徴とする
請求項９記載の歯科用器具。
【請求項１１】
前記溝形成用の作業用表面（８）は、平面を有することを特徴とする
請求項９または１０記載の歯科用器具。
【請求項１２】
前記側方作業用表面（６）は、前記長手方向中央軸（１１ｂ）方向に拡がり相互に交差するか、または、前記作業用本体（１４）の幅方向側方表面（１２）と交差することを特徴とする
請求項１〜１１のいずれかに記載の歯科用器具。
【請求項１３】
前記側方作業用表面（６）と反対側の面に、滑らかな面（１５）を有することを特徴とする
請求項１〜１２のいずれかに記載の歯科用器具。
【請求項１４】
前記滑らかな面（１５）は、前記長手方向中央軸（１１ｂ）に沿って形成された平面、または、前記長手方向中央軸（１１ｂ）に対して傾斜した軸（角度Ｗ３）に沿って形成された平面であることを特徴とする
請求項１３記載の歯科用器具。
【発明の詳細な説明】
【０００１】
【発明の属する技術分野】
本発明は、歯科用器具に関し、特に、歯側面部の虫歯（う食）を治療するための歯科用器具に関する。
【０００２】
【従来の技術】
上記のような、歯の側面のう食を治療するための歯科用器具はＷＯ ９６／１４０２４に開示されており、その歯科用器具は、振動させるための振動駆動部、および歯科用ハンドピースに取り付けられている作業用部分を含有し、歯側面および後方に対して効果的であり、よく適合する。この公知の器具形状において、作業用部分は、器具のシャフトに沿って厚くなっている加工ヘッドであり、器具断面の形は末端部にいくにしたがって変形する。器具の歯側面作業用部分の反対側は滑面となっている。これらの構成により、この公知の歯科用器具は、歯の隣接面（２本の隣接した歯の近心または遠心の接触面）のう食に対して適用させることができる。治療を行う際には、好適には作業用部分を咬合部より歯頸部にむかって挿入する。ここで、う食部分はあらかじめドリルにより前処理されていてもよい。あるいは、前処理なしで前記作業用部分による処置を行うこともできる。これにより、作業用部分の反対側に位置する滑面は、隣接する歯を破損しないため、隣接する歯は影響を受けない。作業用部分の実効的部分である作業用表面は、配列された硬質粒子、好適にはダイヤモンド粒子を用いて線模様をつけることにより粗面化される。この粗面化加工においては、硬質微粒子が複数のカッターを重ね合わせたものと同様な効果を示し、これにより、作業用表面全体が有効な研磨面となる。
【０００３】
治療に用いる際の作業用部分の振動は、空間的に円状または楕円状である振動的な動きにより提供される。う食部分から歯科用器具を離す際に、引っ掛かるのを避けるため、作業用部分は、末端部で断面の形が錐状に細くなる形状を有する。
【発明が解決しようとする課題】
【０００４】
治療現場において、歯の外側表面と、う食部分が歯の外側部分を浸食した部分との境界領域は、脆く破損する傾向があるとされてきた。これは、一説には歯のエナメル質が、歯の中心部から発する仮想の稜線上に合わせたプリズム状構造を有する結果であるとされている。したがって、上述の処置がなされた歯は、先端部を平坦にカットされた卵またはボールが、ガムの中に埋められたようなものと考えることもできる。
【０００５】
歯の外側表面と、う食部分が歯の外側部分を浸食した部分との境界領域におけるエナメル質の破損を防ぐため、前記境界領域の境界線に部分的に面取りを入れて前記境界線を途切れさせておき、歯に充填材を充填する際、その面取り箇所に充填材を埋め込むという方法も提案されている。
【０００６】
上述した従来の歯科用器具は、作業用部分の長手方向に沿った長手方向中央面の両側に、２つのう食縁部用の突起を有し、それぞれがう食縁部に面取りを行えるように、作業用表面が配置されている。
【０００７】
したがって本発明の目的は、う食内壁またはう食縁部の適切な位置に面取り箇所を設けることが可能となるように、上述した従来の歯科用器具の形状が、より有利な形状に調整された歯科用器具を提供することを目的とする。
【０００８】
【課題を解決するための手段】
上記の目的は、請求項１記載の特徴により達成できる。本発明の器具形状は、平均的な歯の形、平均的な幅、およびう食部分の内壁の平均的なばらつきを考慮した上で、長手方向に伸展された側方作業用表面は、研磨対象となる歯表面に好ましい表面を成長させることが可能である形状を有する。これにより、本発明の歯科用器具は縁部に設けられる溝の形成、あるいは、う食縁部の加工に用いることができる。さらに、本発明の器具形状は、歯の外側表面またはう食縁部を途切れさせるための溝の端部の好ましい成長も招く。これにより、セラミックやプラスチックのような比較的摩擦抵抗の小さい充填材、および摩擦抵抗の大きい金属性の充填材の両方、特に、処置された歯において縁角度が小さい段差となるような合金の場合においても、好ましい縁角度が提供される。上述した利点は、単純な、あらかじめ準備された手動操作を実施することにより達成される。さらに、本発明の治療器具による作業は、極めて短時間で実施できる。さらに、本発明の器具形状は、より優れた処置を提供する。
【０００９】
本発明の器具形状によれば、う食自体を充填するための従来の器具形状において用いられるのと同様な、器具上の突起は省略することができる。
【００１０】
従属請求項は、形成される溝の形をさらに改善して、う食縁部の安定性（強度）を高め、また、治療器具を単純に、かつ経済的に製造できる構造とするための特徴を有する。さらに、同一の治療器具を歯の隣接面にも、側面部にも用いることが可能となる。
【００１１】
【発明の実施の形態】
以下に、本発明さらに本発明により達成される利点について、好ましい実施例および図面を参照にして詳細に説明する。
【００１２】
歯科用器具１はツールシャフト２（以下単に「シャフト２」という。）を有し、シャフト２の一方の端部は少なくとも１つの接続部品３を有する。接続部品３は歯科用ハンドピース（以下単に「ハンドピース」ということがある。）４と着脱可能である。シャフト２の他方の端部は着脱可能または外れない状態で作業用本体１４と接続されている。作業用本体１４は作業用部分５を有し、作業用部分５の処理表面は従来知られているようなざらざらした研磨面となっており、好適には複数のダイヤ粒子等の硬質粒子により被覆されている。シャフト２は好適には円形の断面を有し、作業用部分５にむかって連続的に、または錐状にテーパ型となっている。シャフト２の長手方向中央軸１１ａと、作業用本体１４の中央軸１１ｂとは、好適には、同一軸であるか、または平行となっている。作業用本体１４は、長手方向中央軸１１ｂを横切る方向にａで示す厚さを有し、厚さａは対応するシャフト２の断面とほぼ同じか、それよりもやや厚く、約２．５ｍｍである。作業用本体１４のｂで示す幅は、厚さ方向を横切るように延長し、好適には対応するシャフト２の断面よりも大きく、約４〜５ｍｍである。したがって、作業用本体１４はシャフト２に比較して厚みのある加工ヘッドを有する。作業用本体１４の長手方向中央軸１１ｂに沿った長さＬは、約７〜８ｍｍである。
【００１３】
作業用部分５において、加工を行うための表面は主に２つの側方作業用表面６であり、側方作業用表面６は作業用本体１４の長手方向中央面７の両側にある。長手方向中央面７は、長手方向中央軸１１ｂを含む平面である。側方作業用表面６は、図２（ａ）に示す断面にみられるように、それぞれ長手方向中央面７に対してＷ１で示す角度をなす。角度Ｗ１は約３５〜７０°、特に約４５〜６０°であり、それぞれの側方作業用表面６は平坦に拡がっている。作業用本体１４の断面は台形となる。
【００１４】
作業用部分５はシャフト２と反対側の末端に、溝形成用の作業用表面８（以下単に「作業用表面８」という。）を有する。作業用表面８は、長手方向中央軸１１ｂを横切るようにして、作業用本体１４の幅ｂと平行に延び、凸状となっている。あるいは、作業用表面８は幅ｂのＬ１の範囲で直線的で、側方の球状部９は側方作業用表面６に連続している。角度Ｗ２は、作業用表面８が長手方向中央軸１１ｂとなす角度であり、鋭角で、好適には約３０〜６０°、特に約４５°である。側方作業用表面６および作業用表面８は、上述のようにざらざらした面で形成される。さらに、図４および図５に示す、やや太めの作業用本体１４の場合には、２つの側方作業用表面６の間に位置する幅方向側方表面１２は、側方作業用表面６および作業用表面８と同様にざらざらしていても、滑面であってもどちらでもよい。幅方向側方表面１２は、長手方向中央軸１１ｂと平行でも、あるいは、何もないほうの末端にむけて少し傾斜していてもよい。本形状の場合は、幅方向側方表面１２は平面となっている。作業用部分５は、したがって、作業用本体１４の幅方向に配置され、側方作業用表面６および作業用表面８、さらに場合により幅方向側方表面１２とから形成される。矢印１３に沿った、作業用部分５の中央軸もしくは、主に実効的となる方向は、長手方向中央面７上に延び、長軸方向中央軸１１ｂとほぼ直交する。
【００１５】
主に実効的となる方向１３から離れた側面に、作業用本体１４は滑らかな面１５を有し、滑らかな面１５は本発明の器具形状では平面であり、図１（ａ）に示す長手方向中央軸１１ｂに対して平行でも、あるいは、図３に示すように、作業用本体１４の何もないほうの末端にむけて少し傾斜していてもよい。また、滑らかな面１５は、長手方向中央軸１１ｂと角度が約２〜１０°、特に約４°である鋭角Ｗ３をなしていてもよい。
【００１６】
特に図２（ｂ）、図４〜図７、図９〜図１３から理解されるように、側方作業用表面６は、１番目の長軸方向領域Ｌ１と隣接する。領域Ｌ１は、作業用本体１４の何も無いほうの末端側に長軸方向に拡がった作業用表面８によって形成される。そして、Ｌ２で表される２番目の長軸方向領域は、均一な発散１７を有し、Ｌ３で表される３番目の長軸方向領域と隣接する。領域Ｌ３は、漸次、増大する発散１８を有する。ここで、発散とは、側方作業用表面（６）が、長手方向中央軸（１１ｂ）に沿って、長手方向中央軸（１１ｂ）からの距離が大きくなる形状であることを意味する。均一な発散１７の領域においては、平面的に拡がっている側方作業用表面６が、特に、約３〜６°の鋭角Ｗ４（図２（ｂ）参照）を長軸方向中央軸１１ｂとの間に形成している。漸次増大する発散部分１８においては、角度Ｗ４で示される、側方作業用表面６と長軸方向中央軸１１ｂとの間の角度はツールシャフト（２）に近い位置ほど大きくなる。作業用表面は直線状に拡がっていても、凹状になっていても、あるいはカーブした形となっていてもよい。本形状では、発散部表面のｒで表される円弧部分、すなわち、均一な発散の領域において、連続的ながら区別可能な状態で側方作業用表面６と隣接する円弧部分は約１７ｍｍである。漸次増大する発散１８は、より大きな角度Ｗ４で形成された、直線的な傾斜であってもよい。側方作業用表面６が相互に交わる場合（幅方向側方表面１２が存在しない場合であり、例えば図２（ａ）のような場合）には、交差エッジ６ａが生じる。交差エッジ６ａは、凹状でシャフト２の方に向かっており、かつ、長手方向中央軸１１ｂまたは滑らかな面１５に対して発散している。
【００１７】
器具１を使用する場合は、シャフト２を接続部品３により棒状の歯科用ハンドピース４の駆動シャフト２１と接続する。ハンドピース４には、電源のオンオフを選択できる、図示されているような振動発生部または振動部２０が配置されている。振動発生部または振動部２０は、機能時に駆動シャフト２１を押圧し、それにより、器具１を振動させる。振動の振幅もしくは振動は、実際にはハンドピース４の長軸方向中央軸２６に対して横切る方向または長軸方向のどちらに制御することもできる。したがって、作業用本体１４は、平面上に円もしくは楕円を描くように動かすことも、三次元的な軌跡を描くように動かすことも可能である。振動の周期（周波数）は、好適には音波もしくは超音波域とする。
【００１８】
接続部品３は接続機構２２の一部であり、接続機構２２は図１（ａ）に示す実施例の場合には、ねじ山のついたピン２３を用いたスクリュー式結合部により構成される。ねじ山のついたピン２３はシャフト２の根幹部に配置されており、駆動シャフト２１に形成された、ねじ山のついたピン２３と同一軸上のネジ穴部２４にねじ込むことができる。器具を装着させるためには、シャフト２の根幹部に配置されたスパナまたは鍵による連結素子があり、この場合には、六角ボルト２５である。
【００１９】
請求項１に示す形状によれば、シャフト２の自由端は、ハンドピース４の長軸方向中央軸２６に対して、鋭角Ｗ５をなすような角度で、傾斜して配置されている。したがって、作業用本体１４は、長軸方向中央軸２６に沿うようにして側方に配置される。このため、側方の中央軸２６との間に、ある程度の隙間ができる。この目的で、シャフト２は対応するように曲げられている。好適には、シャフト２は、その中央部において、近いほうで作業用部分５と離れるようにして側方へ曲がり、それから、作業用部分５と遠いほうで作業用部分５の方に向かって、さらに好適には、長軸方向中央軸２６を挟んで反対側となる方に曲がった形となっている。角度Ｗ５は、好適には約３０〜６０°、特に４５°が好ましい。
【００２０】
これにより、作業用部分５は主要な方向（矢印１３で示す方向）がハンドピース４の方に向かっているか、あるいはハンドピース４から離れる方向となるような形状となっている。この形状は、歯の全面もしくは背面の処置を行うのに適している。器具１は、滑らかな面１５が存在することにより、隣接する歯に振動による物理的な破損を与えることなく、歯の隣接面に対しても適用させることができる。
【００２１】
歯の背面あるいは前面領域に用いるため、作業用部分５は、シャフト２上に９０°回転された形で配置され、これにより、作業用部分５の方向は矢印１３と一致し、角度をもたせたシャフト２の長軸方向の面を横切る方向となる。ハンドピース４に複数の器具１を装着させることは有用であり、装着されるそれらの器具１は、相互に形および／または大きさ、および／または材料除去能（研磨能力）が異なっていてもよい。例えば、微粒と粗粒との組み合わせ、または微粒、中間と粗粒の組み合わせ等、少なくとも１つの器具１が前方に、少なくとも１つの器具１が後方に装着され、少なくとも１つの器具１が処置される歯の背面および／または前面に装着されている限り、組み合わせはそれぞれ変更してもよい。各組み合わせにおいて、作業用部分５は、適切な位置に回転された状態で配置されている。
【００２２】
図１４において、歯Ｚが図示され、歯Ｚは咬合部のう食Ｋを有し、う食Ｋは側方または全体まで拡がっている。歯エナメル質を安定させるため、う食部分Ｋの縁部は、溝を形成することにより分断されている。溝は縁の垂直方向に延びる領域にＦ１で示されている。う食基底部まで拡がる溝は、Ｆ２で示され、咬合部の縁部の溝はＦ３で示されている。う食部分Ｋは、完全に処置されていてもよいし、あるいはドリル、さらに前述の開示されている振動する駆動機付きを有する、研磨用器具により予備的に処置されていてもよい。う食部分Ｋの側壁は鉛直方向に対して約３〜１０°、特に６°である角度Ｗ６をなしている。
【００２３】
本発明の実施例の器具１は溝Ｆ１、Ｆ２を歯Ｚのう食部分Ｋ表面とその周辺領域Ｕとの境界領域に形成するために有用である。作業用部分５の幅ｂまたは作業用本体１４は、う食部分Ｋの幅より、大きくても小さくてもよい。より広い幅のう食Ｋについては、複数の、幅ｂの異なる器具１を交換可能に装着するのが有利である。それにより、適切な器具１を選択することができる。う食部分Ｋの幅よりも幅ｂが大きい場合には、作業用本体１４は、歯Ｚの隣接面に、咬合面から歯頸部の方に向かって挿入することができる。これにより、挿入により、溝Ｆ１は最初に形成され、挿入動作の最後に、溝Ｆ２も形成される。そこで、溝Ｆ１およびＦ２は、側方作業用表面６および作業用表面８の形によって、あらかじめ所望された形状に形成される。引き続き、仕上げ工程を行いたい場合は、器具１が接する傾斜した位置に、新しく形成された溝によって、効果的に仕上げを行うことができる。幅ｂが、う食部分Ｋの幅より小さいときは、作業用本体１４を咬合面から頸部に向かって、う食部分Ｋによる空間を通過させて挿入することができる。ここで、溝Ｆ２は少なくとも部分的にすでに加工されており、したがって、作業用本体１４の側方（横方向）の動きにより、溝Ｆ２は完成され、溝Ｆ１は加工される。
【００２４】
側方作業用表面６の漸次発散する形状１８によって、側方作業用表面６は、う食部分Ｋの傾斜した縁部、または垂直な縁部に対応もしくは近似する形を有する。発散の程度は、好適には、角度Ｗ６の範囲を考慮した上で、歯の平均的な形状またはそれに近い値に対応させる。これらの手段により、器具１はすべての歯に適用でき、歯の平均的またはそれに近い値に適合する溝を形成することが保持される。したがって、溝Ｆ１を適切な幅で、図１４に示すような溝Ｆ１と歯の接線Ｔとがなす角度Ｗ７を、適切な大きさにすることができる。
【００２５】
いわゆる金属または鋳造された金属が充填されている歯の処置を行うとき、特に合金の場合、２つの互いに相反する要求がある。一方は、縁部における歯エナメル質の強度の問題から溝が必要とされることである。他方は、溝に機械処理を行うことにより、歯の充填材の除去も同時に起こり、充填材が除去されると、歯の強度の維持の観点から好ましくない。さらに、溝は歯の外側表面から斜めに切られているため、充填物とう食Ｋ壁部との間のギャップの増大も招く。これにより、特に、咬合部の近傍において拡張されたギャップが存在する時に、充填物を安定させるためのセメントが、より衝撃を受けやすくなり、速く崩壊するようになるため、好ましくない。
【００２６】
角度Ｗ１が、Ｌ１およびＬ２の長さにわたって一定であり、約４５〜６０°であるような図２（ａ）、図４および図５に示す形状は、前述の要求を満足させるのに有利である。これは、実質的には、溝表面と歯Ｚの接線Ｔとがなす歯Ｚの傾斜角Ｗ６が考慮された上で、側方作業用表面６の形状により決定される角度Ｗ７の大きさが、咬合部において歯頸部よりも、より大きいという事実による。これにより、溝Ｆ１のより小さいギャップが提供され、歯Ｚの外壁部の実質的なギャップ幅はわずかとなる。これらの手段により、溝Ｆ１が存在することによる２つの要求、すなわち、必要な縁部に必要な分断を施すという要求と、ギャップをできる限り小さくするという要求の両方に対する配慮がなされる。図４および図５に示される配置は、したがって、特に合金充填物に対して適当である。
【００２７】
図６および図７に示された配置には、同一の符号を用いて、前記の実施例と同じまたは近似した部分が示されているが、角度Ｗ１が均一であるか、または歯頸部から咬合部に向かって角度Ｗ１が極端に小さくなるかという点で異なっている。これらの場合、歯Ｚに存在する溝角度Ｗ７は依然として大きいが、歯外側表面の実質的なギャップ幅は、意図的にさらに減らされている。
【００２８】
この角度の変更は、また、歯の平均的な値およびう食の形状、および通常処置されるう食部分の幅に適合するようにして決定される。本器具形状では、角度Ｗ１は歯頸部において約６０°であり、咬合部において約４５°である。図４〜図７に示された形状は、したがって、特に合金充填物において適当である。
【００２９】
図８と図９には、図６および図７に示された配置の、作業用本体１４および作業用部分５の側面からみた拡大図が示されている。これは、特に、作業用部分５自由端からの特定の距離における、それぞれの角度Ｗ１の大きさが示されており、角度Ｗ１は、上にいくにつれて増大するのが示されている。そのため、２つの側方作業用表面６は、広い凹状となった交差エッジ６ａにおいて交差することができる。あるいは、２つの側方作業用表面６は、図６および図７に示されるように、幅方向側方表面１２において交差することもできる。
【００３０】
図１０および図１１に示された実施形態と、図４および図５に示された実施形態との明確な違いは、角度Ｗ１がより小さく２０〜４０°、特に３０°であることからなる。この器具の形状は、図１５に示すセラミックまたはコンポジット素材または、プラスチックからなる充填物のう食Ｋ１を処置するのに、特に、適切な充填物または被覆物を用いる場合、以下の理由により適する。う食Ｋ１の処置において、金属性充填材に比較して強度の十分でない、また、充填に対する耐久性が弱い、例えば、セラミックまたはプラスチックのような充填材の場合、う食Ｋ１を溝を形成せずに処置することが有利である。これにより、側方作業用表面６により、少なくとも、角度Ｗ８を有するう食Ｋ１側壁の縁部を形成することができる。ここで、角Ｗ８は、歯Ｚの外側表面で歯の接線Ｔと接しており、直線的に増加するか、または歯頸部から咬合部に向かって急速に増大する。この形状においては溝は形成されない。
【００３１】
図１０〜図１３に示された器具の形状は、う食Ｋ１のような箇所の処置または仕上げ加工を行うのに、とてもよく適合する。う食Ｋ１の壁面Ｓは少なくとも外側縁部が処置され、これにより、側方作業用表面６により処置される。この作業用本体１４または作業用部分５の形状によれば、作業用本体１４はう食Ｋ１に挿入され、これにより、側方作業用表面６は側壁Ｓを加工することができる。理論的には、作業用本体１４の幅ｂは、う食Ｋ１の所望の幅に適合させることができる。これにより、充填材を除去する際、作業用部分５は、側方から、あるいは咬合面から隣接面に対し、う食部分に挿入することができる。あるいは、幅ｂは小さくすることもでき、これにより、側壁Ｓが作業用本体１４の前後の振動によって処置される。したがって、う食Ｋ１の底部に溝を形成するための作業用表面８は、存在してもしなくてもよい。
【００３２】
図１０および図１１に示された器具の形状は、角度Ｗ１が均一であり、しかしながら角度Ｗ４（図２（ｂ））は先端部からシャフト側に向かうにつれて大きくなる。この器具の形状は、う食Ｋ１の側壁Ｓにおいて比較的小さい角度のＷ８を提供する。これは、充填物またはう食縁部の充填物の破壊を避ける上で望ましい。
【００３３】
同様な理由により、図１２および図１３に示された、角度Ｗ１が均一であるか、または先端部からシャフト側に向かって、例えば、約２０°〜４０°特に３０°から、約３５〜５５°特に４５°まで急速に増大するような実施形態も有利である。歯Ｚのう食Ｋ１の幅および側壁Ｓの角度Ｗ５が考慮された、上記の発散により、先端部からシャフト側に向かってほぼ均一な角度Ｗ８が提供される。
【００３４】
鋭角Ｗ２で延びる本形状の場合には、作業用本体１４の末端の表面は、粗面的な研磨面となっている。そして、長手方向中央軸１１ｂに対して、ほぼ直角に動くことも可能であり、また、そのような場合には、粗面的な研磨面となっていてもよいし、必要に応じて滑らかな面であってもよい。
【００３５】
図１（ｂ）に示された器具１およびハンドピース４の形状により、同じまたは近似した部分が提供される、同一の符号により示された、直線状に延びるシャフト２は、プリズム状のシャフト末端部領域２ａが差し込み部２７に着脱可能に装着されている。差し込み部２７は、駆動器具シャフト２１を横切るように配置されており、例えば、横穴２７ａのような手段により形成されていてもよい。駆動器具シャフト２１は、ハウジングまたはハンドピース４のグリップ部分を通り越して、延びており、駆動シャフト２１は、軸方向または少し角度をつけて延びていてもよい。これにより、シャフト２は、ハンドピース４の長手方向中央軸２６との間に、例えば約１００°の鈍角Ｗ９をなす。シャフト２をプラグ差し込み部２７に確実に固定させるため、駆動シャフト２１に、力が一定に固定された、または形が固定された固定装置２８が、矢印２９で示された単純な方式で配置されている。固定装置２８は、シャフト２と反対方向に力がかけられたクランプ式ネジにより構成されていてもよい。
【００３６】
作業用部分５または器具１は、長手方向中央面７に対して、面対称に形成されている。処置箇所を冷却する目的で、および汚染物または材料粒子を洗い流す目的で、作業時に処置箇所に、冷却剤または洗浄剤、特に水を供給することは有利である。これは、ハンドピース４および器具１の外側または内側の供給管を稼働させることにより効果が表れる。本形状によれば、供給管３１は駆動シャフト２１に沿って、接続素子２２を介して、シャフト２に沿って軸方向に、作業用部分５の方にむかって軸方向に延びている。作業用部分５は、側方作業用表面６および作業用表面８のうちの少なくともひとつの領域に対して、または、少なくとももうひとつの作業用ヘッドの表面に対して、開放されている。供給管３１は、選択的な開閉のための連結されているブロッキング素子（不図示）を有する。少なくとも、供給管３１の一方の出口３２は、液体が流れているところから、処置箇所へ、重力にしたがって自動的に流れるように、シャフト２の作業用部分５の上に配置されていてもよい。
【００３７】
【発明の効果】
本発明の歯科用器具によれば、歯科用器具の形状が、より有利な形状に調整されているため、う食内壁またはう食縁部の適切な位置に面取り箇所を設けることができる。それにより、歯側方のう食の処置に好適に用いることができる。
【図面の簡単な説明】
【図１】図１（ａ）は、本発明の、側方作業用表面を有する歯科用ハンドピースに取り付けられた歯科用器具の側面図である。図１（ｂ）は、改良された形の歯科用ハンドピースに取り付けられた歯科用器具である。
【図２】図２（ａ）は、本発明の歯科用器具を後方からみた図である。図２（ｂ）は、図２（ａ）のＩＩＩ−ＩＩＩにおける断面図である。
【図３】図３は、改良された形の作業用部分を有する歯科用器具を側方からみた拡大図である。
【図４】図４は、歯科用器具の長手方向の側方作業用表面側を表す拡大図である。
【図５】図５は、作業用部分の末端からみた図である。
【図６】図６は、改良された形の歯科用器具の長手方向の側方作業用表面側を表す拡大図である。
【図７】図７は、図６の作業用部分の末端からみた図である。
【図８】図８は、改良された形の歯科用器具の側面図である。
【図９】図９は、図８に示す歯科用器具の長手方向の側方作業用表面側を表し、各部の形状を特徴づける数字が示された拡大図である。
【図１０】図１０は、改良された形の歯科用器具の長手方向の側方作業用表面側を表す拡大図である。
【図１１】図１１は、図１０の作業用部分の末端からみた図である。
【図１２】図１２は、改良された形の歯科用器具の長手方向の側方作業用表面側を表す拡大図である。
【図１３】図１３は、図１２の作業用部分の末端からみた図である。
【図１４】図１４は、側方または咬合部に虫歯のある下顎部の歯の斜視図である。
【図１５】図１５は、改良された形の側方または咬合部に虫歯のある下顎部の歯の斜視図である。
【符号の説明】
１…歯科用器具、２…ツールシャフト、３…接続部品、４…歯科用ハンドピース、５…作業用部分、６…側方作業用表面、７…長手方向中央面、８…作業用表面、９…球状部、１１ａ…シャフト２の長手方向中央軸、１１ｂ…長手方向中央軸、１２…幅方向側方表面、１４…作業用本体、１５…滑らかな面
【図１】
0004057687.tif 000002
【図２】
0004057687.tif 000003
【図３】
0004057687.tif 000004
【図４】
0004057687.tif 000005
【図５】
0004057687.tif 000006
【図６】
0004057687.tif 000007
【図７】
0004057687.tif 000008
【図８】
0004057687.tif 000009
【図９】
0004057687.tif 000010
【図１０】
0004057687.tif 000011
【図１１】
0004057687.tif 000012
【図１２】
0004057687.tif 000013
【図１３】
0004057687.tif 000014
【図１４】
0004057687.tif 000015
【図１５】
0004057687.tif 000016